(57)【特許請求の範囲】
【請求項１】
第１のパネルと、第２のパネルと、を合わせてロックするためのロッキング装置であって、該ロッキング装置は第１の部分と第２の部分とを備え、前記第１の部分は、前記第１のパネルに第１の折り曲げ線に沿ってヒンジ連結されている端部フラップと、階段状の形状の切り取り線によって少なくとも前記端部フラップ内に画定された開口部と、を備え、前記切り取り線は第１の切り取り線部分と、第２の切り取り線部分と、を含み、前記第１の切り取り線部分は前記開口部の凹部を画定し、前記第２の切り取り線部分は前記凹部の少なくとも一方の側部に配置されているとともに、前記端部フラップの係合部分を画定し、前記第２の切り取り線部分は、前記第１の切り取り線部分よりも前記第１の折り曲げ線の近くに配置されており、前記第２の部分は、前記第２のパネルの自由端から第２の折り曲げ線へ延びる突出部と、前記突出部に前記第２の折り曲げ線に沿ってヒンジ連結された折り曲げ可能なタブと、を備え、該折り曲げ可能なタブは前記第２の折り曲げ線に対向する自由端縁部を有し、該自由端縁部は段差がつけられた形状とされているとともに、第１の階段部分及び第２の階段部分を含み、前記第１の階段部分は前記折り曲げ可能なタブの舌部を画定し、前記第２の階段部分は前記舌部の少なくとも一方の側部に配置されるとともに前記折り曲げ可能なタブの肩部を画定し、前記第２の階段部分は、前記第１の階段部分よりも前記第２の折り曲げ線の近くに配置されており、前記折り曲げ可能なタブは前記第２の折り曲げ線の周りに折り曲げられて折り曲げられた位置を取り、前記第２の部分は、前記折り曲げられた位置にある前記折り曲げ可能なタブとともに前記開口部の中に受け取られ、前記第２の部分は、前記開口部の中にある際にはロッキング位置を取り、該位置では前記折り曲げ可能なタブの前記舌部が前記開口部の前記凹部中に少なくとも部分的に受け取られて、前記折り曲げ可能なタブの前記肩部を前記端部フラップの前記係合部分に係合させる、ロッキング装置。
【請求項２】
前記第１の折り曲げ線が、前記切り取り線によって中断されており、前記切り取り線の前記第１の切り取り線部分が、前記第１の折り曲げ線に対してオフセットされており、それによって前記折り曲げ可能なタブが広がるのを防止し、前記第１の切り取り線部分が、前記端部フラップによって提供されていることを特徴とする請求項１に記載のロッキング装置。
【請求項３】
前記折り曲げ可能なタブが折り曲げられた位置にあるときに、前記第２の部分は、前記第２の部分の前縁部においてより幅が狭くなるようにテーパが付けられていることを特徴とする請求項１に記載のロッキング装置。
【請求項４】
前記肩部は、前記第２の折り曲げ線から離間した係合縁部を備えることを特徴とする請求項１に記載のロッキング装置。
【請求項５】
前記第２の部分の突出部は、前記第２の部分ロック位置にある場合に、前記開口部中に少なくとも部分的に受け取られることを特徴とする請求項１に記載のロッキング装置。
【請求項６】
前記係合部分を画定する前記第２の切り取り線は、前記第１の折り曲げ線に対して所定の角度で配置され、それによって前記第２の切り取り線の、前記第１の切り取り線部分から離間した前記第２の切り取り線部分の一方の端縁が、前記第１の切り取り線部分に隣接する前記第２の切り取り線部分の他方の端部より前記第１の折り曲げ線の近くに配置されていることを特徴とする請求項１に記載のロッキング装置。
【請求項７】
前記第２の折り曲げ線は、前記折り曲げ可能なタブが前記折り曲げ位置にある場合に前記第２の部分の前縁を画定し、前記第２の部分は前記開口部中に前記前縁が最初に受け取られる状態で受け取られることを特徴とする請求項１に記載のロッキング装置。
【請求項８】
前記折り曲げ位置においては、前記折り曲げ可能なタブは前記第２のパネルに重なり、それによって第１の距離が前記第２のパネルの前記自由端と、前記折り曲げ可能なタブの前記自由端縁の前記第１の階段部分との間に画定され、第２の距離が前記第１の折り曲げラインと、前記切り取り線の前記第１の切り取り線部分との間に画定され、前記第１の距離は前記第２の距離よりも大きく、それによって前記折り曲げ可能なタブは、前記第２の部分がロック位置にある場合には前記開口部を全体的に貫通することができないことを特徴とする請求項１に記載のロッキング装置。
【請求項９】
請求項１〜３のいずれか一項に記載のロッキング装置を備えるカートン。
【請求項１０】
請求項１〜９のいずれか一項に記載のロッキング装置を備える、カートンを形成するためのブランクであって、
前記ブランクが第１のパネルと第２のパネルとを備え、前記第１のパネルが相補的なロッキング機構の第１の部分を備え、前記第２のパネルが相補的なロッキング機構の第２の部分を備えることを特徴とする、ブランク。
【発明の詳細な説明】
【技術分野】
【０００１】
本発明は、カートンのための締結機構、及び、それを形成するためのブランクに関する。より詳細には、本発明は、カートンの２つのパネルを合わせてロックするための折り曲げ可能なタブを有する雄型のコンポーネントを含む締結機構に関するが、それに、限られない。
【背景技術】
【０００２】
パッケージングの分野では、複数の主要製品容器を含むパッケージを消費者に提供することを必要とされることが多い。そのようなマルチパックは、出荷及び配送のために、並びに、販売促進情報の表示のために望ましい。コスト的及び環境的な考慮事項に関して、そのようなカートンまたはキャリアは、可能な限り少ない材料から形成される必要があり、それらが形成される材料から可能な限り少ない廃棄物しか生じさせない必要がある。別の考慮事項は、パッケージングの強度、及び、大重量の物品を保持及び輸送することに関するその適格性である。
【０００３】
そのようなパッケージにおいて、カートンの２つのパネルを合わせてロックするための締結装置を提供することが望ましい。使用時に、当技術分野で知られている締結装置は、不注意に係合が外れる可能性がある。従って、強固であり、ロックされている状態を保つが、必要なときに解放することが可能な、締結手段を提供することが望ましい。
【発明の概要】
【発明が解決しようとする課題】
【０００４】
本発明は、先行技術の課題を克服するか、または、少なくとも軽減しようとする。
【課題を解決するための手段】
【０００５】
本発明の第１の態様によれば、第１の部分と、第１の部分に相補的な第２の部分とを含む、カートンのためのロッキング装置であって、第１の部分は、第２の部分を受け入れるための開口部を有する第１のパネルを含み、第２の部分は、第２のパネルに連結されているタブを含み、タブは、折り曲げ線によって第２のパネルにヒンジ連結されており、タブが、前縁部を形成するように、折り曲げ線の周りに折り曲げられ、タブは、折り曲げられた状態で開口部内に挿入され、タブは、第１のパネルと係合するための少なくとも１つの係合縁部を含み、それによって、第１及び第２のパネルを合わせてロックする、ロッキング装置が提供される。
【０００６】
好ましくは、タブの係合縁部が、タブが折り曲げられた状態であるときに、第１のパネルと係合する。
【０００７】
好ましくは、折り曲げ線が、切り取り線によって中断されており、切り取り線の少なくとも一部分が、折り曲げ線に対してオフセットされており、タブが広がるのを防止するための第１の突出部を画定するようになっており、第１の突出部が、タブまたは第２のパネルのいずれかから打ち抜かれている。随意的に、切り取り線の形状は、アーチ状であることが可能である。
【０００８】
好ましくは、タブが、舌部を含み、開口部が、凹部を含み、凹部が、舌部の少なくとも一部分を受け入れるように配置されており、それによって、タブが広がるのを防止する。
【０００９】
好ましくは、折り曲げられた状態で、タブは、テーパが付けられており、その前縁部において、より幅が狭くなっている。
【００１０】
好ましくは、第１のパネルが、フラップを含み、フラップが、第２の折り曲げ線及び切り取り線によって一部を画定されており、フラップが第２の折り曲げ線の周りに折り曲げられているときに、切り取り線が、開口部を少なくとも部分的に画定している。より好ましくは、切り取り線及び第２の折り曲げ線は、連続的である。
【００１１】
好ましくは、切り取り線が、第２の突出部を少なくとも部分的に画定しており、第２の突出部が、ロックされている状態で、第２のパネルと少なくとも部分的に重なり合う。
【００１２】
好ましくは、タブが、第２のパネルを形成している突出部にヒンジ連結されている。より好ましくは、突出部が、第２のパネルから打ち抜かれており、少なくとも１つの凹部が、第２のパネルから打ち抜かれ、突出部に隣接して配設されており、第２のパネルが、ロックされている状態で、第１のパネルに重なり合うようになっている。
【００１３】
本発明の第２の態様によれば、先に説明されているロッキング装置を含むカートンが提供される。
【００１４】
本発明の第３の態様によれば、カートンを形成するためのブランクであって、ブランクは、第１のパネルと第２のパネルとを含み、第１のパネルは、相補的なロッキング機構の第１の部分を含み、第２のパネルは、相補的なロッキング機構の第２の部分を含み、第１の部分は、第２の部分を受け入れるための開口部を少なくとも部分的に画定する切断部の切り取り線または弱化線を含み、第２の部分は、第２のパネルに連結されているタブを含み、タブは、折り曲げ線によって第２のパネルにヒンジ連結されており、タブが、前縁部を形成するように、折り曲げ線の周りに折り曲げ可能であり、タブが、第１のパネルと係合するための少なくとも１つの係合縁部を含み、第１及び第２のパネルが合わせてロックされるようになっている、ブランクが提供される。
【００１５】
本出願の範囲内で、前述の段落において、特許請求の範囲において、並びに／または、以下の説明及び図面において述べられている、様々な態様、実施形態、例、特徴、及び代替例は、独立して、または、その任意の組み合わせで、取り込むことが可能であることが想定される。例えば、一実施形態と関連して説明されている特徴は、特徴が両立し難いのでなければ、すべての実施形態に適用可能である。
【００１６】
ここで、本発明の実施形態を、添付の図面を参照して説明する。
【図面の簡単な説明】
【００１７】
【図１Ａ】本発明の実施形態による、締結装置を含むブランクの一部分の、上方からの平面図である。
【図１Ｂ】本発明の実施形態による、締結装置を含むブランクの一部分の、上方からの平面図である。
【図２】図１Ａ及び図１Ｂの締結装置の組み立て段階の、上方からの斜視図である。
【図３】図１Ａ及び図１Ｂの締結装置の更なる組み立て段階の、上方からの斜視図である。
【図４】ロックされている状態の、図１Ａ及び図１Ｂの組み立てられた締結装置の、上方からの斜視図である。
【図５】図５の締結装置の一部分の、上方からの拡大斜視図である。
【図６】図５の締結装置の一部分の、下方からの平面図である。
【図７Ａ】本発明の第２の実施形態による、締結装置を含むブランクの一部分の、上方からの平面図である。
【図７Ｂ】本発明の第２の実施形態による、締結装置を含むブランクの一部分の、上方からの平面図である。
【図８】図７Ａ及び図７Ｂの締結装置の組み立て段階の、上方からの斜視図である。
【図９】係合されている状態の、図７Ａ及び図７Ｂの締結装置の、上方からの斜視図である。
【図１０】図９の締結装置の下方からの平面図である。
【発明を実施するための形態】
【００１８】
パッケージ、ブランク、及びカートンの特定の実施形態の詳細な説明が、本明細書で開示されている。開示されている実施形態は、単に、本発明の特定の態様が実装され得る方式の例であり、本発明が具現化され得る方式のすべての包括的なリストを表してはいないことが理解されることとなる。実際に、本明細書で説明されているパッケージ、ブランク、及びカートンは、様々な形式で、及び、代替的な形式で、具現化され得ることが理解されることとなる。図は、必ずしも原寸に比例しておらず、いくつかの特徴は、特定のコンポーネントの詳細を示すために、誇張されるか、または、最小限に抑えられている可能性がある。本開示を不明瞭にすることを回避するために、周知のコンポーネント、材料、または方法は、必ずしも、非常に詳細に説明されてはいない。本明細書で開示されている任意の特定の構造的な及び機能的な詳細は、限定するものとして解釈されるべきではなく、単に、特許請求の範囲の基礎として、及び、本発明を様々に用いることを当業者に教示するための代表的な基礎として、解釈されるべきである。
【００１９】
図１Ａ及び図１Ｂを参照すると、それに限定されないが、ボトルまたは缶（以下、物品と称される）等のような主要製品のためのカートンを形成することが可能なブランク１０の一部分の平面図が示されている。
【００２０】
ブランク１０は、ブランク１０の第１のパネル１２及び第２のパネル１６を合わせてロックするための締結装置を含む。第１及び第２のパネル１２、１６は、単一のユニタリブランク（unitary blank）の状態で一体的に形成され得るか、または、別々のブランクによって提供され得ることが想定される。
【００２１】
ブランク１０は、２つの相補的なロッキング装置を含む。ブランク１０は、相補的なロッキング装置の第１の部分１と、相補的なロッキング装置の第２の部分２とを含む。
【００２２】
第１の部分１は、フラップ１４を含み、フラップ１４は、折り曲げ線１３によって、第１のパネル１２にヒンジ接続されている。
【００２３】
折り曲げ線１３は、切断部２４の切り取り線または弱化線によって、中断されている。切り取り線２４は、折り曲げ線１３から少なくとも部分的にオフセットされている。図示されている実施形態では、切り取り線２４は、フラップ１４内に配設されるか、または、位置付けされており、切り取り線２４が第１の突出部１９を部分的に画定し、第１の突出部１９が第１のパネル１２と一体的に形成されるようになっている。
【００２４】
切り取り線２４の形状は、段差が付けられているか、または、階段状にされている。中央のアーチ状部分が、第１の突出部１９の前縁部を画定している。第１の直線状セクションが、中央のアーチ状部分の両側に配設されている。第１の直線状セクションが、第１の階段（tier）を画定している。第２の階段が、第１の階段の両側に配設されている。第２の階段が、切り取り線２４の外側部分３２ａ、３２ｂによって画定されており、第１の階段よりも折り曲げ線１３に近接して配設されている。第２の階段を画定している外側部分３２ａ、３２ｂは、好ましくは、折り曲げ線１３に対して、及び、第１の階段に対して、所定の角度で配設されている。第２の階段を画定している切り取り線２４の外側部分３２ａ、３２ｂの外側縁部は、外側部分３２ａ、３２ｂの内側縁部よりも折り曲げ線１３に近接して配設されている。
【００２５】
第１の階段を画定している切り取り線２４の一部分、及び、中央のアーチ状部分が、折り曲げられた状態のフラップ１４内の凹部１８を画定し、凹部１８は、相補的なロッキング機構の第２の部分の一部分を受け入れるように配置されている。
【００２６】
切り取り線２４のアーチ状部分が、タブ２６を画定しており、タブ２６は、第１の突出部１９から延在している。
【００２７】
第２の部分２は、折り曲げ可能なタブ２２を含み、折り曲げ可能なタブ２２は、折り曲げ線１５ａ、１５ｂに沿って、第２の突出部２３にヒンジ接続されている。第２の突出部２３は、第２のパネル１６の自由縁部から延在している。折り曲げ線１５ａ、１５ｂは、切断部２０の切り取り線または弱化線によって中断されている。切り取り線２０の形状は、アーチ状であり、切り取り線２０は、タブ２８を形成しており、タブ２８は、第２の突出部２３を形成している材料から打ち抜かれる。タブ２８は、折り曲げ可能なタブ２２と一体になっている。折り曲げ線１５ａ、１５ｂの反対側にあるタブ２２の自由端縁部の形状は、段差が付けられているか、または、階段状にされている。最も外側の階段は、舌部２５を部分的に画定しており、舌部２５は、タブ２２内で中央に配設されている。舌部２５は、凹部１８内に受け入れられるようにサイズ決めされて配置されている。
【００２８】
外側部分は、タブ２２の第２の階段を部分的に画定しており、それぞれの外側部分は、それぞれ、係合縁部３０ａ、３０ｂを有している。第２の階段は、第１の階段よりも折り曲げ線１５ａ、１５ｂに極めて接近して配設されている。
【００２９】
第２の階段は、中央の舌部２５の両側に肩部を形成させている。
【００３０】
図２から図６に図示されているように、締結装置の組み立てを見てみると、締結装置は、直線的な機械内で、一連の順次的な折り曲げ作業によって形成することが可能であり、カートンは、その構築を完了させるために回転させることも反転させることも必要とされないようになっていることが想定される。折り曲げプロセスは、下記に説明されているものに限定されず、特定の製造要件に従って変更することが可能である。
【００３１】
図２及び図３は、締結装置の組み立ての段階を図示している。フラップ１４は、方向を示す矢印Ｄ３によって示されているように、折り曲げ線１３の周りに折り曲げられている。好ましくは、フラップ１４は、第１のパネル１２に対して垂直となるように折り曲げられている。より好ましくは、フラップ１４は、フラップ１４と第１のパネル１２との間に鋭角を画定するように折り曲げられている。換言すれば、フラップ１４は、９０度よりも大きい角度によって、第１のパネル１２を含有する平面から折り曲げられている。フラップ１４を折り曲げるときに、開口部Ａが、フラップ１４と第１のパネル１２との間に生成される。
【００３２】
タブ２２は、方向を示す矢印Ｄ２によって示されているように、折り曲げ線１５ａ、１５ｂの周りに折り曲げられ、第２の突出部２３と、及び、第２のパネル１６の少なくとも一部分と、実質的に重なり合う関係、または、覆う関係になる。
【００３３】
第１及び第２のパネル１２、１６は、方向を示す矢印Ｄ１によって示されているように、互いに対して移動され、折り曲げられているタブ２２を開口部Ａ内に挿入するようになっている。図４及び図５に図示されているように、タブ２２は、折り曲げられた状態で、開口部Ａを少なくとも部分的に通過する。タブ２２は、フラップ１４を折り曲げることによって生成された開口部Ａと係合する。舌部２５は、開口部Ａの上側縁部４２と係合する。上側縁部４２は、凹部１８を少なくとも部分的に画定し、凹部１８内に舌部２５が受け入れられる。そのように、上側縁部４２は、タブ２２が広がることを制限する。タブ２２の外側部分の係合縁部３０ａ、３０ｂは、凹部１８に隣接して配設されている場所において、フラップ１４と係合する。
【００３４】
図４及び図５に図示されている実施形態では、フラップ１４は、折り曲げ線１３の周りに少なくとも部分的に広げられており、フラップ１４と第１のパネル１２との間に鈍角を画定するようになっている。同様に、タブ２２は、折り曲げ線１５ａ、１５ｂの周りに部分的に広げられている。
【００３５】
タブ２２の舌部２５は、凹部１８内に受け入れられている。
【００３６】
好ましくは、折り曲げられている状態で、タブ２２は、図３に図示されているように、第２のパネル１６と距離Ｘだけ重なり合っている。第２の距離Ｙは、図１Ｂに図示されているように、折り曲げ線１３と切り取り線２４との間に画定されており、距離Ｘは、第２の距離Ｙよりも大きく、フラップ１４が第１のパネル１２と同一平面上にあるときでさえも、タブ２２が開口部Ａを完全に通過することができないようになっている。
【００３７】
肩部部分３０ａ、３０ｂは、凹部１８の両側に配設され、且つ、切り取り線３２ａ、３２ｂによって部分的に画定されているフラップ１４の部分と係合する。
【００３８】
タブ２２の上向きの進行（広がること）は、フラップ１４によって限定される。舌部２５は、凹部１８の縁部と係合する。
【００３９】
タブ２８は、第１のパネル１２と係合し、折り曲げ可能なタブ２２の広がりを限定する。
【００４０】
また、折り曲げられた状態のタブ２２は、テーパが付けられており、前縁部に向かって幅が狭くなっていることも理解されたい。このことは、前縁部が開口部Ａよりも寸法が小さいので、タブ２２を開口部Ａに整合させることを支援する。
【００４１】
また、タブ２２が、不注意で、開口部Ａを通して完全に挿入された場合には、タブ２２は、アーチ状タブ２８（アーチ状タブ２８は、第１のパネル１２と係合し、広がることを防止する）に起因して平坦な状態に広がることができないため、第１及び第２のパネル１２、１６が合わせてロックされたままになることも理解されることとなる。
【００４２】
図６は、ロックされている状態の第１及び第２のパネル１２、１６を図示している。タブ２６及び突出部１９は、第２のパネル１６と少なくとも部分的に重なり合っている。タブ２６及び突出部１９は、最も外側に配設されている。この重なり合う関係は、随意的であるが、それが設けられると、折り曲げ線１３の周りの第１のパネル１２の折り曲げを防止または低減させることによって、安全性を向上させ、それによって、第１及び第２のパネル１２、１６を、互いに実質的に同一平面上にある関係に、または、少なくとも実質的に平行の関係に維持することを助ける。
【００４３】
ここで、図７Ａ、図７Ｂ、及び、図８から図１０を参照すると、本発明の代替的な実施形態が示されている。図示されている代替的な実施形態では、これらの特徴が代替的な実施形態に属していることを示すために、「１００」等の接頭語を付加しているが、同様の数字は、可能な場合には、同様の部分を示すために使用されている。代替的な実施形態は、多くの共通の特徴を第１の実施形態と共有しており、従って、図１から図６に図示されている実施形態からの相違点だけが、より詳細に説明されることとなる。
【００４４】
図７Ａ及び図７Ｂは、本発明の代替的な実施形態のブランクを図示している。
【００４５】
相補的な締結装置の第１の部分１０１は、切り取り線１１８の中央の部分が、アーチ状ではなく、その外側部分と同一直線状になっているという点で異なっている。従って、タブ１１９は、その中央の部分から外向きに延在するアーチ状の形状をしたタブを含まない。
【００４６】
相補的な締結装置の第２の部分１０２は、セットアップする状態において、第２のパネル１１６の一部分が、第１のパネル１１２と重なり合うように修正されており、図１０に示されているように、第２のパネル１１６が、最も外側に配設されている。
【００４７】
突出部１２３が、その両側に配設されている一対の凹部１４０の間に配設されており、第２のパネル１１６が、突出部１２３と第２のパネル１１６との間の接続部を越えて、タブ１２２に向かって延在するようになっている。
【００４８】
タブ１２２は、折り曲げ線１１５ａ、１１５ｂによって、突出部１２３にヒンジ連結されている。少なくとも、タブ１２２が折り曲げ線１１５ａ、１１５ｂによって突出部１２３にヒンジ連結されている点において、タブ１２２は、突出部１２３よりも幅が広い。
【００４９】
舌部１２５は、突出部１２３と実質的に同じ幅である。タブ１２２の外側部分は、テーパが付けられており、肩部部分１３０ａ、１３０ｂへ延在するにつれて、より幅が広くなるようになっている。
【００５０】
切り取り線１２０の形状は、アーチ状であり、切り取り線１２０は、タブ１２８を少なくとも部分的に画定している。この実施形態のタブ１２８は、タブ１２２を形成する材料から打ち抜かれており、一方で、先述のものでは、それは、突出部２３から打ち抜かれていた。
【００５１】
締結装置の組み立ては、先述の実施形態のものと実質的に同様である。しかし、方向を示す矢印Ｄ６によって示されているように、及び、図８及び図９に図示されているように、フラップ１１４は、９０度よりも小さい角度だけ、第１のパネル１１２の平面から折り曲げられている。
【００５２】
タブ１２２は、方向を示す矢印Ｄ５によって示されているように、折り曲げられ、突出部１２３と重なり合う関係になっている。第１及び第２のパネル１１２、１１６が、方向を示す矢印Ｄ４に示されているように、互いに対して一緒に移動され、タブ１２２が、切り取り線１１８によって一部を画定されている開口部内に少なくとも部分的に挿入され、第１のパネル１１２に関して折り曲げタブ１１４によって接近される。
【００５３】
本発明の範囲内で様々な変形をすることが可能であり、例えば、パネル及び開口部のサイズ及び形状は、異なるサイズまたは形状の物品を収容するように調節することが可能であることを理解することが可能である。例えば、ロッキング装置のそれぞれの部分は、単一のユニタリブランクで提供することが可能であり、または、別々のブランクで提供することが可能である。
【００５４】
本明細書で使用されているように、「上部」、「底部」、「前方」、「後方」、「端部」、「側部」、「内側」、「外側」、「上側」、及び「下側」等のような、方向を示す参照は、それぞれのパネルをそのような配向に限定するのではなく、単に、互いからこれらの特徴を区別する役割を果たしているだけであることが理解されるであろう。ヒンジ接続に対する任意の参照は、必ずしも、単一の折り曲げ線だけを参照するものとして解釈されるべきではない。実際に、ヒンジ接続は、本発明の範囲を逸脱することなく、以下の、すなわち、短いスリット、折れやすい線、または、折り曲げ線のうちの１つまたは複数から形成することが可能であることが想定される。
【符号の説明】
【００５５】
１  第１の部分
２  第２の部分
１０  ブランク
１２  第１のパネル
１３  折り曲げ線
１４  フラップ
１５ａ  折り曲げ線
１５ｂ  折り曲げ線
１６  第２のパネル
１８  凹部
１９  突出部
２０  切り取り線、切断部
２２  タブ
２３  第２の突出部
２４  切り取り線、切断部
２５  舌部
２６  タブ
２８  タブ
３０ａ  係合縁部、肩部部分
３０ｂ  係合縁部、肩部部分
３２ａ  外側部分、切り取り線
４２  上側縁部
１０１  第１の部分
１０２  第２の部分
１１２  第１のパネル
１１４  フラップ、折り曲げタブ
１１５ａ  折り曲げ線
１１５ｂ  折り曲げ線
１１６  第２のパネル
１１８  切り取り線
１１９  タブ
１２０  切り取り線
１２２  タブ
１２３  突出部
１２５  舌部
１２８  タブ
１３０ａ  肩部部分
１３０ｂ  肩部部分
１４０  凹部
Ａ  開口部
Ｄ１  矢印
Ｄ２  矢印
Ｄ３  矢印
Ｄ４  矢印
Ｄ５  矢印
Ｄ６  矢印
Ｘ  距離
Ｙ  第２の距離
【図１Ａ】
0005934374.tif 000002
【図１Ｂ】
0005934374.tif 000003
【図２】
0005934374.tif 000004
【図３】
0005934374.tif 000005
【図４】
0005934374.tif 000006
【図５】
0005934374.tif 000007
【図６】
0005934374.tif 000008
【図７Ａ】
0005934374.tif 000009
【図７Ｂ】
0005934374.tif 000010
【図８】
0005934374.tif 000011
【図９】
0005934374.tif 000012
【図１０】
0005934374.tif 000013